(57)【要約】      （修正有）【課題】正確な計測及び計測時間の短縮を図り、原子力発電所等放射性物質を取扱う作業において、作業上の被ばくを低減させること。【解決手段】透明性を持ち、且つ表面導電率を数百オーム以下に向上させた高導電性シートを用いて、計測値を指示針５で表示する表示部４が検出部及び主要構成部とが一体となった、或いは当該表示部４が検出部と独立したタイプであって、主要構成部などが当該表示部４と一体となった計測器のアナログ式指示式計測器３の、当該表示部４を含む構成部の表面全体を包み込む形状に展開した状態で切断加工して、切り出した原型を目的とする計測器３の外形に沿って折り曲げて密着させて取り付けることによってカバーを行い、当該計測器３の表示部４付近に発生した静電気の電磁力の作用による指示針５の誤動作を著しく抑制する。【選択図】図２
0003127725.tif 000002
【実用新案登録請求の範囲】
【請求項１】
透明性を持ち、且つ表面導電率を数百オーム以下に向上させた高導電性シートを用いて、計測値を指示針で表示する表示部が検出部及び主要構成部とが一体となった、或いは当該表示部が検出部と独立したタイプであって、主要構成部などが当該表示部と一体となった計測器のアナログ式指示式計測器の、当該表示部を含む構成部の表面全体を包み込む形状に展開した状態で切断加工して、切り出した原型を目的とする計測器の外形に沿って折り曲げて密着させて取り付けることによってカバーを行い、当該計測器の表示部付近に発生した静電気の電磁力の作用による指示針の誤動作を著しく抑制することを特徴とするアナログ式計測器の静電気防止カバー。
【請求項２】
計測器本体と、指示針を備えた表示部とを備えているアナログ式計測器の静電気防止カバーであって；
前記静電気防止カバーは、透明性を持ち、且つ、表面導電率が数十オーム〜数百オームの高導電性シートであり、
前記静電気防止カバーは、前記測定器本体及び前記表示部を全部覆っていることを特徴とするアナログ式計測器の静電気防止カバー。
【請求項３】
前記静電気防止カバーは、その内面側、又は、外面側に導電加工が施されていることを特徴とする請求項２記載のアナログ式計測器の静電気防止カバー。
【請求項４】
前記静電気防止カバーは、被覆される計測器の各外形部に対応する、複数の連続する抱合片から構成され、該抱合片の先端部には、接合部が設けられ、該接合部には、互いに重合する接合部を固定する接合材が設けられていることを特徴とする請求項２、又は、３記載のアナログ式計測器の静電気防止カバー。
【請求項５】
前記アナログ式計測器が、放射線計測器であることを特徴とする請求項１、２、３、又は、４記載のアナログ式計測器の静電気防止カバー。
【考案の詳細な説明】
【技術分野】
【０００１】
本考案は、主にタッチパネルやフィルムヒーター等の要途に開発製作されて一般に利用されている透明性導電性シートを素材に用いるもので、計測器において目的とする計測値を指示するための指示装置に、電磁コイル等を用いて指示針を連続的に作動させて当該目的とする計測を行う、いわゆるアナログ式指示により計測を行う計測器において、考案の静電気防止カバーにより表示部を含む構成部全体を包み込むようにカバーを行うことによって、当該計測器が外部誘電体との相互作用、若しくは当該計測器と人など他の物体との摩擦により発生した静電気を速やかに除去し、指示針の誤動作を抑制することを特徴とする静電気防止機能を兼ね備えた、アナログ式計測器の静電気防止カバーに関するものである。
【背景技術】
【０００２】
電気回路を利用して指示針によって目的の計測を行う計測器は、一般に電気的に高度に絶縁されており、電気的な短絡による回路損傷を予防している。また、近年ではプラスチックなどの高分子化合物などの樹脂形成体を計測器の外形を保つ外枠に用いられ、金属性の外形枠に対して軽量化と低価格化が行われている。
しかし、この樹脂形成体などは高度絶縁状態が保たれる一方、静電気的に分極現象を引き起こして帯電するため、表示部の指示針に影響を及ぼし、しばしば正確な計測ができなかったり、計測時間が長くなるなどの障害が発生していた。
【０００３】
このように、樹脂などの素材で製造された計測器等にあっては、例えば原子力産業のように放射性物質の拡散を防止するために作業エリア全体に張り巡らされた樹脂製シートの中で使用する際に、当該計測器の表面に外部のシートや人体などの帯電物からの影響により、当該計測器の表面に静電気の分極が発生し、或いは当該計測器と計測者の衣服や被計測物質との直接的摩擦により発生する静電気の影響により、計測値を表す表示装置が電磁コイルなどによって動作させる、いわゆるアナログ式表示部に誤動作を発生させていた。
【０００４】
そこで、従来、上記問題を解決するため、計測器に、塩化ビニル樹脂等のポリマー製品など高絶縁で表面電気抵抗が高い素材で製作されたカバーを、計測器の保護用として用いたり、又は、金属など高導電性の素材を用いて、計測器のカバーを製作し、当該カバーで計測器全体を包んだりしている。
【考案の開示】
【考案が解決しようとする課題】
【０００５】
しかし、前記塩化ビニル樹脂等のポリマー製品など高絶縁で表面電気抵抗が高い素材で製作されたカバーを、計測器の保護用として用いる場合には、当該カバーの表面についても前述と同様に発生した静電気によって、計測器の表示部に影響を与えて正確な測定に支障を来たし、現実的にカバーを付けることができない現状があった。
【０００６】
また、前記金属など高導電性の素材を用いて計測器のカバーを製作した場合には、その素材の特徴から表面の静電気については容易に除去できるが、透明性が無く、カバーを装着した状態では内部の計測器の状態やその他計測器に示される表示等を外部から読み取ることができない。
また、放射線計測器など検出部を形成する樹脂に特有の性質を計測に利用する場合にあっては、表面に金属などを用いることは測定効率に影響を与えるため、使用が困難であった。
【０００７】
この考案は、上記事情に鑑み、高い静電気の場所で計測器を用いた場合、計測器の表面に発生する静電気の影響を抑制し、且つ保護カバーとしての機能を有して、放射線測定器など計測器の計測条件となる外形の樹脂の特徴を失わせることの無い素材によってカバーを行うことによって、静電気の影響を最小限に止めて正確な計測及び計測時間の短縮を図り、計測に要する作業時間を短縮することによって作業の効率化を図ることである。
【０００８】
他の目的は、測定器の使用時及び保存時の保護の面からも、静電気防止カバーによって計測器全体を覆った場合、当該計測器の計測値の表示部に示される指示値が、当該カバーを通じてもその指示値を十分確認することができるようにすることである。
【０００９】
更に他の目的は、計測時間の短縮を図ることにより、原子力発電所等放射性物質を取扱う作業において、作業上の被ばくを低減させることである。
【課題を解決するための手段】
【００１０】
この考案は、透明性を持ち、且つ表面導電率を数百オーム以下に向上させた高導電性シートを用いて、計測値を指示針で表示する指示部が検出部及び主要構成部とが一体となった、或いは当該表示部が検出部と独立したタイプであって、主要構成部などが当該表示部と一体となった計測器のアナログ式指示式計測器の、当該表示部を含む構成部の表面全体を包み込む形状に展開した状態で切断加工して、切り出した原型を目的とする計測器の外形に沿って折り曲げて密着させて取り付けることによってカバーを行い、当該計測器の表示部付近に発生した静電気の電磁力の作用による指示針の誤動作を著しく抑制することを特徴とする。
【００１１】
この考案は、計測器本体と、指示針を備えた表示部とを備えているアナログ式計測器の静電気防止カバーであって；
前記静電気防止カバーは、透明性を持ち、且つ、表面導電率が数十オーム〜数百オームの高導電性シートであり、前記静電気防止カバーは、前記測定器本体及び前記表示部を全部覆っていることを特徴とする。
【００１２】
この考案の前記静電気防止カバーは、その内面側、又は、外面側に導電加工が施されていることを特徴とする。この考案の前記静電気防止カバーは、被覆される計測器の各外形部に対応する複数の連続する抱合片から構成され、該抱合片の先端部には、接合部が設けられ、該接合部には、互いに重合する接合部を固定する接合材が設けられていることを特徴とする。この考案の前記アナログ式計測器が、放射線計測器であることを特徴とする。
【考案の効果】
【００１３】
この考案は、以上のように構成したので、アナログ式計測器が外部誘電体との相互作用、若しくは、当該計測器と人など他の物体との摩擦により発生した静電気は、速やかに除去され、指示針の誤動作を抑制することができる。
【００１４】
前記静電気カバーで前記計測器全体を包み込んでも、表示部に示された指示値、及び計測器の外形等を十分確認できる。
また、当該計測器が必要条件とする高絶縁性や計測器の表面が樹脂等で製作されることを目的とする性能を損なうことなく、静電気の影響を防止するカバーとしての目的が達成される。
【考案を実施するための最良の形態】
【００１５】
静電気の影響を防止するための計測器のカバーとして、透明性及び容易に加工可能な可塑性をもった、薄いポリエチレン等のシート表面の導電率を数百オーム以下に向上させた高導電性シートを用いる。
当該シートを目的とする計測器の外形を展開した形状に切り出し、当該切り出したカバーの原型を、被覆対象の計測器の外形に合わせて織り込むように装着させることでカバーを行い、計測器の計測値を指示するための指示装置に電磁コイル等を用いて指示針を連続的に作動させて当該目的とする計測を行う、いわゆるアナログ式指示により特定の計測を行うことが可能な計測器等の、当該表示部を含む計測器全体を包み込むようにカバーを行う。
【００１６】
このとき、当該計測器の電源ツマミやその他の調整用ツマミについては、必要な大きさにくりぬいても差し支えない。また、当該くりぬきによって当該静電気防止カバーの外に突出した電源ツマミやその他の調整ツマミは、更に同じ高導電性シートによって覆いを行ってもよい。
【実施例】
【００１７】
この発明の実施例を図１〜図3により説明する。
図1は、アナログ式計測器、例えば、電離式放射線計測器３、を被覆する静電気防止カバーＣの展開図（原型）である。
前記カバーＣは、高導電性シートにより形成されている。このシートは、透明性を備え、容易に加工可能な可塑性をもった、薄いポリエチレン等のシートで、表面の導電率は数百オーム以下に形成されている。この導電率は、好適には、数十オーム〜数百オームであり、例えば、２５０オームが選択される。
【００１８】
前記静電気防止カバーＣは、導電加工面を計測器３に触れる面側（「内面側」という）としているが、その反対側（「外面側」という）にしても良い。
このカバーＣは、被覆される計測器の各外形部に対応する複数の連続する抱合片Ｐから構成され、該抱合片Ｐの先端部には、接合部１が設けられ、該接合部１の先端部には、接合材２が設けられている。この接合材２は、互いに隣接する接合部１，１を固定する手段であり、この接合材２として、例えば、マジックテープ（登録商標）が用いられる。前記カバーＣは、目的とする前記計測器３の外形を抱合するように展開形として製作され、再び該計測器３の形状に合致させて組み立てる。
【００１９】
また、組み立て時の接合部分においては、接合部１を折り曲げて前記接合材２を貼り付けて取り付けた状態で形状を維持するように接続し、当該計測器３を点検する場合は、当該接合材２を剥がして当該カバーＣを取り外せる構造となっている。
【００２０】
図２は、静電気防止カバーＣで電離箱式放射線計測器３全体を被覆した状態を示す斜視図である。この計測器３は、検出部及び主要構成部を収納する計測器本体３ａと、該計測器本体３ａに連続する表示部４と、を備えている。前記表示部４には、計測値を指示するための指示針５が設けられおり、電磁コイル等を用いて該指示針５を連続的に作動させることにより、当該目的とする放射線の線量当量率の計測が行なわれる。この計測器３は、アナログ式指示により特定の計測を行なう、所謂アナログ式計測器である。
【００２１】
前記計測器３を前記カバーＣで被覆する場合には、該カバーＣの各抱合片Ｐをそれぞれ対応する前記計測器３の外形部分に密着させ、接合部１の接合材２を介して隣り合う抱合片Ｐ同士を密着させる。
この様にして、計測値を表示する表示部４を含む計測器３全体を抱合するように施工する。
【００２２】
このとき、測定器３の取っ手部６は、当該カバーＣによって包まれている必要は無い。また、当該計測器３の電源スイッチ或いは調整ツマミ７については、その当該電源スイッチ或いは調整ツマミ７の形状にくりぬいて取り付けてあり、カバーの外から電源スイッチ或いは調整ツマミ７を操作することができる。この際にくりぬいた穴等については、図３に示す通り、その上に前記カバーＣと同様の導電性シートで形成した上蓋８によって閉じることができる。
【００２３】
前記計測器３を原子力発電所等の、靜電気が発生しやすい環境で使用すると、該計測器３に帯電した静電気は、前記静電気防止カバーＣにより速やかに除電される。そのため、指示針５の誤動作が抑制されるとともに、該指示針５が安定して見やすいので、正確に、且つ、短時間に検針（測定）を行うことがでる。この検針時間の短縮化は、放射線の存在する環境下で計測作業を行う場合に、計測員の被ばく時間を短くするので、安全確保の上で、極めて重要である。
【００２４】
前記静電気カバーは、透明性を持っているので、前記計測器３全体を被覆しても、表示部４に示された指示値、及び計測器３の外観や製造時に付された記号等を十分確認できる。また、前記カバーＣは、前記計測器全体を覆っているので、高価な計測器の汚染防止及び損傷防止を図ることができる。
【００２５】
この発明の実施例は、上記に限定されるものではなく、例えば、次の様にしても良い。
（１）静電気防止カバーの接合部の接合方法については、マジックテープ（登録商標）の他、接合部をカバーの一部に加工した切り込みに差し込んで接合する差込式、粘着テープによる接合、又は、ファスナー等による接合方式、を用いてもよい。
【００２６】
（２）アナログ式計測器として、計測値を指示針で表示する表示部が検出部及び主要構成部とが一体となったタイプ、又は、当該表示部が検出部と独立したタイプが存在するが、いずれのタイプも本件考案を適用することができる。
（３）静電気防止カバーを複数の抱合片から構成する代わりに、被覆対象の計測器の金型を製作し、専用品として高導電性シールを当該計測器の外形に沿った形状にし、それを該計測器に被せる様にして被着させても良い。
【産業上の利用可能性】
【００２７】
計測器には、内部を高圧にして回りを高絶縁にした放射線計測器などがあり、当該計測器については当該計測器の性能上材料に樹脂を用いているため、静電気が発生し易く帯電も持続するため、計測値を表示するメーター部の指示針の駆動用コイルや指示針などに影響を与え、しばしば測定が困難になる。このような状態は、単にポリエチレンや塩化ビニール等の樹脂ポリマーなどで製作したカバーを装着した場合でも同様である。この問題を解決するためには表面電導度が高い、いわゆる高導電性を持たせた樹脂ポリマーを用いることによって解決される。
【００２８】
例えば、本件考案の静電気防止カバーを、空気等価電離箱式放射線計測器及び計測や原子力発電所などの系統モニタリングを行うための放射線計測器の表示部などに取り付けた場合、回りが静電気を発生させやすい環境にあっても常に安定した指示を示し、正確な値を表示することができる。これによって、放射線作業管理にあっては計測時間の短縮、放射線計測員の被ばくの予防、正確な計測に加え、高価な計測器の汚染防止及び損傷からの保護を同時に行うことができる。
【図面の簡単な説明】
【００２９】
【図１】考案の実施例を示す図で、静電気防止カバーの展開形状を示す展開図である。
【図２】静電気防止カバーを被着した計測器を示す斜視図である。
【図３】静電気防止カバーを被着した計測器の側面図である。
【符号の説明】
【００３０】
１  接合部
２  接合材
３  電離箱式放射線計測器
４  計測値の表示部
５  指示針
６  計測器の取っ手
７  電源スイッチ或いは調整ツマミ
８  上蓋
【図１】
0003127725.tif 000003
【図２】
0003127725.tif 000004
【図３】
0003127725.tif 000005
【手続補正書】
【提出日】平成18年9月22日(2006.9.22)
【手続補正１】
【補正対象書類名】実用新案登録請求の範囲
【補正対象項目名】請求項１
【補正方法】変更
【補正の内容】
【請求項１】
計測値を指示針で表示する表示部が検出部及び主要構成部と一体となった、或いは当該表示部が検出部と独立したタイプのアナログ式指示式計測器の静電気防止カバーであって；
前記静電気防止カバーを、透明性を持ち、且つ表面導電率を数百オーム以下に向上させた高導電性シートにより形成するとともに、前記計測器の外形に沿って折り曲げて密着させて取り付けたことを特徴とするアナログ式計測器の静電気防止カバー。
【手続補正２】
【補正対象書類名】明細書
【補正対象項目名】００１０
【補正方法】変更
【補正の内容】
【００１０】
この考案は、計測値を指示針で表示する表示部が検出部及び主要構成部と一体となった、或いは当該表示部が検出部と独立したタイプのアナログ式指示式計測器の静電気防止カバーであって；前記静電気防止カバーを、透明性を持ち、且つ表面導電率を数百オーム以下に向上させた高導電性シートにより形成するとともに、前記計測器の外形に沿って折り曲げて密着させて取り付けたことを特徴とする。